(57)【要約】【課題】複数色の光装飾が可能な光装飾装置を提供する。【解決手段】透明部材又は半透明部材で形成され、厚さ方向に並設された２枚の装飾板２，３と、２枚の装飾板２，３に形成され、各装飾板２，３内に照射された光を乱反射させる装飾部Ａ，Ｂと、２枚の装飾板２，３の厚さ方向に挿入して設けられる２つの支柱４，５と、２つの支柱４，５の内部に設置され、該２つの支柱４，５の各挿入部分より２枚の装飾板２，３内に光を照射して装飾部Ａ，Ｂを光装飾する２つの光源１０，１１と、を備える。【選択図】図２
0003151439.tif 000002
【実用新案登録請求の範囲】
【請求項１】
透明部材又は半透明部材で形成され、厚さ方向に並設された複数の装飾板と、
前記複数の装飾板にそれぞれ形成され、各装飾板内に照射された光を乱反射させる装飾部と、
前記複数の装飾板の厚さ方向に挿入して設けられる複数の挿入部材と、
前記複数の挿入部材の内部に設置され、該複数の挿入部材の各挿入部分より前記複数の装飾板内に光を照射して前記装飾部を光装飾する複数の光源と、
を備えることを特徴とする光装飾装置。
【請求項２】
前記複数の光源は、互いに異なる色に発光し、各装飾板の前記装飾部を互いに異なる色に光装飾することを特徴とする請求項１に記載の光装飾装置。
【請求項３】
前記装飾部は、該光装飾装置の正面から見たときの位置が各装飾板で異なることを特徴とする請求項１又は２に記載の光装飾装置。
【請求項４】
前記装飾部は、該光装飾装置の正面から見たときの少なくとも一部の位置が各装飾板で重なっているとともに、微細な凹凸からなる線状の複数の凹凸群によって構成され、
前記複数の凹凸群は、該光装飾装置の正面から見たときの位置が各装飾板で互いにずれているか、或いは交差していることを特徴とする請求項１又は２に記載の光装飾装置。
【請求項５】
前記複数の装飾板のうち少なくとも１つの装飾板の縁部は、該装飾板の表面から裏面に行くに従って該装飾板の内方へ向けて傾斜する傾斜面からなる他の装飾部となっており、該他の装飾部が光によって装飾されるように構成されていることを特徴とする請求項１〜４に記載の光装飾装置。
【考案の詳細な説明】
【技術分野】
【０００１】
本考案は、光装飾装置に関するもので、詳しくは、光源の設置構造に関するものである。
【背景技術】
【０００２】
光装飾装置として、透明部材又は半透明部材で構成された１枚の装飾板に、微細な凹凸による文字等の装飾部を形成するとともに、その厚さ方向に挿入部材を挿入させ、該挿入部材における装飾板への挿入部分から光を装飾板の内部に照射し、その光を装飾部で乱反射させることによって装飾部を光装飾させるようにしたものがある（例えば、特許文献１）。
【先行技術文献】
【特許文献】
【０００３】
【特許文献１】特開２００６−７５８６号公報（図１および図２参照）
【考案の概要】
【考案が解決しようとする課題】
【０００４】
このような光装飾装置にあっては、様々な用途に供するために、或いは見る者を楽しませるために、多様な装飾形態を容易に実現できることが好ましい。
しかしながら、上記特許文献１に記載の光装飾装置では、１枚の装飾板に形成された装飾部を、その装飾部の文字や模様等でしか光装飾できないために、多様な装飾形態を実現することが困難であった。
【０００５】
本考案は、上記事情を鑑みてなされたもので、多様な装飾形態が実現可能な光装飾装置を提供することを目的とする。
【課題を解決するための手段】
【０００６】
前記の課題を解決するために、請求項１の考案は、光装飾装置において、
透明部材又は半透明部材で形成され、厚さ方向に並設された複数の装飾板と、
前記複数の装飾板にそれぞれ形成され、各装飾板内に照射された光を乱反射させる装飾部と、
前記複数の装飾板の厚さ方向に挿入して設けられる複数の挿入部材と、
前記複数の挿入部材の内部に設置され、該複数の挿入部材の各挿入部分より前記複数の装飾板内に光を照射して前記装飾部を光装飾する複数の光源と、
を備えることを特徴とする。
【０００７】
請求項２に記載の考案は、請求項１に記載の光装飾装置において、
前記複数の光源は、互いに異なる色に発光し、各装飾板の前記装飾部を互いに異なる色に光装飾することを特徴とする。
【０００８】
請求項３に記載の考案は、請求項１又は２に記載の光装飾装置において、
前記装飾部は、該光装飾装置の正面から見たときの位置が各装飾板で異なることを特徴とする。
【０００９】
請求項４に記載の考案は、請求項１又は２に記載の光装飾装置において、
前記装飾部は、該光装飾装置の正面から見たときの少なくとも一部の位置が各装飾板で重なっているとともに、微細な凹凸からなる線状の複数の凹凸群によって構成され、
前記複数の凹凸群は、該光装飾装置の正面から見たときの位置が各装飾板で互いにずれているか、或いは交差していることを特徴とする。
【００１０】
請求項５に記載の考案は、請求項１〜４に記載の光装飾装置において、
前記複数の装飾板のうち少なくとも１つの装飾板の縁部は、該装飾板の表面から裏面に行くに従って該装飾板の内方へ向けて傾斜する傾斜面からなる他の装飾部となっており、該他の装飾部が光によって装飾されるように構成されていることを特徴とする。
【考案の効果】
【００１１】
請求項１の考案によれば、複数の光源からの光が、厚さ方向に並設された複数の装飾板内に照射され、該複数の装飾板にそれぞれ形成された装飾部が光装飾される。したがって、厚さ方向に見たときに、複数の装飾板で組み合わされて光装飾される装飾部を観察することができる。つまり、装飾板の組合せや照射する光源の組合せ等を自由に変えることで、多様な装飾形態を実現することができる。
【００１２】
請求項４の考案によれば、装飾部の少なくとも一部が各装飾板で重なっており、この装飾部を構成する複数の凹凸群は、互いに異なる色に装飾される各装飾板で、該光装飾装置の正面から見たときの位置が互いにずれているか、或いは交差しているので、各装飾板内を照射する色が混合された複合色によって、装飾部のうちの重なった部分を光装飾することができる。
【図面の簡単な説明】
【００１３】
【図１】本考案に係る光装飾装置の一実施の形態を示した斜視図である。
【図２】図１に示した光装飾装置の分解斜視図である。
【図３】図１に示した光装飾装置の（ａ）一の主要部を分解して示した斜視図であり、（ｂ）他の主要部を分解して示した斜視図である。
【図４】図１における（ａ）III−III線断面図であり、（ｂ）IV−IV線断面図である。
【図５】本考案に係る光装飾装置における装飾部の他の形態を示した模式図である。
【図６】本考案に係る光装飾装置における装飾部のさらに他の形態を示した模式図である。
【図７】本考案に係る光装飾装置の他の形態を示した斜視図である。
【図８】図７におけるＶ−Ｖ線断面図である。
【図９】図８の別例を示した断面図である。
【図１０】本考案に係る光装飾装置の他の取付け構造を示した断面図である。
【図１１】本考案に係る光装飾装置のさらに他の取付け構造を示した断面図である。
【図１２】本考案に係る光装飾装置のさらに他の取付け構造を示した断面図である。
【図１３】本考案に係る光装飾装置のさらに他の取付け構造を示した断面図である。
【考案を実施するための形態】
【００１４】
以下に、本考案に係る光装飾装置を、図面を参照しながら説明する。
図１は、本考案に係る光装飾装置の一実施の形態を示した斜視図であり、図２は、その分解斜視図であり、図３（ａ），（ｂ）は、その主要部を示した分解斜視図であり、図４（ａ）は、図１におけるIII−III線断面図であり、図４（ｂ）は、図１におけるIV−IV線断面図である。
【００１５】
図１に示した光装飾装置１では、２枚の装飾板２，３が２本の支柱（挿入部材）４，５によってベース６に支持されている。２本の支柱４，５は、２枚の装飾板２，３に挿入され、内部に収容した後述の光源１０，１１の光をその挿入部分から２枚の装飾板２，３内へそれぞれ照射する。
【００１６】
２枚の装飾板２，３は、いずれも透明部材又は半透明部材で楕円状に形成されており、厚さ方向に並設されている。この２枚の装飾板２，３の裏面には、図２に示すように、微細な凹凸による文字等の装飾部Ａ，Ｂが形成されている。本実施形態では、装飾部Ａは男性のピクトグラムであり、装飾部Ｂは女性のピクトグラムである。これらの装飾部Ａ，Ｂは、光装飾装置１の正面から見たときの位置が各装飾板２，３で異なっており、本実施形態では、光装飾装置１の正面から見て互いに隣り合うように位置している。
【００１７】
また、２枚の装飾板２，３には、適宜箇所に２本の支柱４，５をそれぞれ挿入させるための各一組の挿入孔２ａ，３ａが形成されている。この各一組の挿入孔２ａ，３ａには、後述の２つの光源１０，１１からの光が２枚の装飾板２，３の一方のみの内部に照射されるよう、内周面に適宜マスキングが施されている。具体的には、支柱５を挿入させる挿入孔２ａの内周面と、支柱４を挿入させる挿入孔３ａの内周面とに、マスキング層２ｂとマスキング層３ｂとが形成されている（図４（ａ），（ｂ）参照）。
【００１８】
２本の支柱４，５は、図２及び図３（ａ），（ｂ）に示すように、いずれも透明部材によって円筒状に形成されている。これら２本の支柱４，５は、互いに同様に構成されており、基端には、フランジ４ａ，５ａが形成され、該フランジ４ａ，５ａには、ねじ挿通孔４ｂ，５ｂが形成されている。また、先端面には、冠歯車の歯と同様に周方向に山形を成す粗面４ｃ，５ｃが形成され、先端部周面には、雄ねじ４ｄ，５ｄが形成されている。この場合の粗面４ｃ，５ｃは爪によって形成されている。
【００１９】
また、２本の支柱４，５は、その先端部を覆うキャップ７をそれぞれ備えている。キャップ７は、内周面に雌ねじ７ａが形成されている。
【００２０】
また、ベース６には、２本の支柱４，５を挿通させるための２つの孔６ａが形成されている。
【００２１】
さらにまた、光装飾装置１は、２本の支柱４，５内に収容される円筒状の２つの光源設置ケース８，９を備えている。
このうち、光源設置ケース８には、先端に鍔８ａが形成されており、該鍔８ａの下面には、支柱４の先端面に形成された粗面４ｃに対応する形状の粗面８ｂが形成されている。この粗面８ｂは爪によって形成されている。鍔８ａの頂面には、例えば、ドライバー等の工具を係合させる溝８ｃが形成されている。また、光源設置ケース８の先端部周面には、等間隔で３箇所に、Ｕ字状の溝が形成され、該溝によって軸方向に延びる舌片８ｄが画成され、それらの舌片８ｄの先端外面には、突起８ｅが形成されている。
また、光源設置ケース８の先端周面には、孔８ｆが形成されている。そして、内部に設置された光源１０が孔８ｆに臨んで配置され、リード線８ｇが光源設置ケース８の基端まで延びている。そして、リード線８ｇは、コネクタ１２ａを介して電源コード１２に接続される（図４（ａ）参照）。ここで、光源１０は、特に限定はされないが、青色に発光する発光ダイオードである。
【００２２】
一方、光源設置ケース９には、上記の光源設置ケース８と同様に、鍔９ａ，粗面９ｂ，溝９ｃ，舌片９ｄ，突起９ｅ及び孔９ｆが形成され、光源１１が配置されている。そして、リード線９ｇがコネクタ１３ａを介して電源コード１３に接続されている（図４（ｂ）参照）。但し、粗面９ｂは、支柱５の粗面５ｃに対応する形状となっており、孔９ｆは、光源設置ケース９の長手方向の中央部に形成されている。また、光源１１は、特に限定はされないが、赤色に発光する発光ダイオードである。
【００２３】
この実施形態の光装飾装置１では、光源設置ケース８，９を支柱４，５内に収容させる。すると、光源設置ケース８，９の舌片８ｄ，９ｄは、内方に弾性変形され、その反力によって、支柱４，５の内面に圧接する。
【００２４】
そして、ベース６の２つの孔６ａにスリーブ１４をそれぞれ合致させ、該スリーブ１４を介して２枚の装飾板２，３を配置させ、２本の支柱４，５を、ベース６の裏面側から孔６ａ，スリーブ１４，装飾板３の挿入孔３ａ，装飾板２の挿入孔２ａにそれぞれ挿嵌させ、ねじ１５によって２本の支柱４，５をベース６に固定させる。この状態における支柱４，５は、その先端部の雄ねじ４ｄ，５ｄが装飾板２から突出した状態にあり、２つの光源１０，１１は、２本の支柱４，５の内部に設置され、装飾板２，３の厚み内に位置する。
【００２５】
この状態で、ベース６が建物の壁等に設置され、電源コード１２，１３が建物内に引き込まれ、図示しない電源に接続される。
【００２６】
そして、ドライバー等の工具を溝８ｃ，９ｃに係合させて光源設置ケース８，９を回動させ、光源１０の光の照射方向を装飾部Ａに向け、光源１１の光の照射方向を装飾部Ｂに向けるよう調整する。
【００２７】
次いで、キャップ７を支柱４，５の先端部にそれぞれ螺合させる。すると、キャップ７は、その天井面で光源設置ケース８，９の鍔８ａ，９ａを支柱４，５の端面に圧接するとともに、開口端面で装飾板２を押して装飾板３をスリーブ１４に圧着する。
【００２８】
この状態の光装飾装置１では、光源１０の光が、孔８ｆを介し、支柱４を透過して装飾板２内に照射され、それによって男性のピクトグラムである装飾部Ａが青色に光装飾される。同様に、光源１１の光が、孔９ｆを介し、支柱５を透過して装飾板３内に照射され、それによって女性のピクトグラムである装飾部Ｂが赤色に光装飾される。
【００２９】
以上のように、本実施形態における光装飾装置１によれば、２つの光源１０，１１からの光が、厚さ方向に並設された２枚の装飾板２，３内に照射され、該２枚の装飾板２，３に形成された装飾部Ａ，Ｂが光装飾される。したがって、厚さ方向に見たときに、複数の装飾板２，３で組み合わされて光装飾される装飾部Ａ，Ｂを観察することができる。また、光源１０及び光源１１のどちらかだけを発光することで、装飾部Ａ及び装飾部Ｂのどちらかだけを光装飾させることもできるし、２枚の装飾板２，３のいずれかに代えて別の装飾部が形成された装飾板を用いる等することで、様々な装飾部の模様等を光装飾させることができる。つまり、装飾板の組合せや照射する光源の組合せ等を自由に変えることで、多様な装飾形態を実現することができる。
【００３０】
なお、上記実施形態では、装飾板２の装飾部Ａと装飾板３の装飾部Ｂとで、光装飾装置１の正面から見たときの位置が異なるものとしたが、少なくとも一部の該位置が重なるようにしてもよい。このとき、図５（ａ），（ｂ）に示すように、例えば、装飾部Ａ，Ｂを、微細な凹凸からなる線状の複数の凹凸群Ａ１，Ｂ１によって構成し、装飾板２の凹凸群Ａ１と装飾板３の凹凸群Ｂ１とで、光装飾装置１の正面から見たときの位置をこの各装飾板２，３で互いにずらしてもよい。このようにすれば、図５（ｃ）に示すように、２枚の装飾板２，３を重ねて見たときに、光源１０によって青色に照らされる装飾板２の凹凸群Ａ１と、光源１１によって赤色に照らされる装飾板３の凹凸群Ｂ１とが交互に位置するため、２つの光源１０，１１の各発光色が混合された複合色によって、装飾部Ａ，Ｂのうちの重なった部分を光装飾することができる。また、図６（ａ）〜（ｃ）に示すように、装飾板２の凹凸群Ａ１と装飾板３の凹凸群Ｂ１とで、光装飾装置１の正面から見たときの位置をこの各装飾板２，３で互いに交差させてもよい。このようにしても、上記同様に、２つの光源１０，１１の各発光色が混合された複合色によって、装飾部Ａ，Ｂのうちの重なった部分を光装飾することができる。
【００３１】
また、上記実施形態では、２枚の装飾板２，３を２本の支柱４，５で支持し、それによって、光を２箇所から照射しているが、複数箇所、例えば図７に示すように、矩形状の４枚の装飾板２Ａ〜２Ｄを４本の支柱４Ａ〜４Ｄで支持し、光を４箇所から放出してもよいことは勿論である。こうして、４本の支柱４Ａ〜４Ｄ内の光源設置ケース８Ａ〜８Ｄに設置された互いに異なる色に発光する４つの光源で４枚の装飾板２Ａ〜２Ｄ内を照射することによって、該４枚の装飾板２Ａ〜２Ｄの互いに異なる位置に形成された装飾部Ｅ〜Ｈをそれぞれ異なる色に光装飾することができる。
また、図７，８に示すように、例えば、最前列の装飾板２Ａの縁部に、表面から裏面に行くに従って該装飾板２Ａの内方へ向けて傾斜する傾斜面を形成、つまり面取りを施して該面取り面を他の装飾部Ｋとし、装飾板２Ａ内を照射する光源１０Ａを支柱４Ａ内に２つ設置して装飾部Ｅと他の装飾部Ｋとを光装飾するようにしてもよい。このようにすれば、装飾部Ｅ〜Ｈに加え、装飾板２Ａの縁部も光装飾することができ、見る者をさらに楽しませることができる。このとき、他の装飾部Ｋは最前列の装飾板２Ａに形成しなくともよく、例えば、後列のいずれかの装飾板を一回り大きく形成し、その縁部に形成してもよいし、複数の装飾板に形成してもよい。なお、図８では、光源１０Ａは、光源設置ケース８Ａの周面にそれぞれ固定されているが、例えば、光源設置ケース８Ａ内に一枚の基板を設け、その両面にそれぞれ固定するようにしてもよい。
更に、図９に示すように、各支柱４Ａ〜４Ｄ内の光源１０Ａ〜１０Ｄを、装飾板２Ａ〜２Ｄそれぞれへ光が照射されるよう増設し、支柱４Ａ〜４Ｄの周面に形成した孔から装飾板２Ａ〜２Ｄへ光を照射させてもよい。この場合、上述のマスキング層は設けずに、光源１０Ａ〜１０Ｄからの光が当該光源１０Ａ〜１０Ｄに対応する装飾板２Ａ〜２Ｄ内のみに照射されるように、光源１０Ａ〜１０Ｄから装飾板２Ａ〜２Ｄまでの間の支柱４Ａ〜４Ｄ部分にセパレート部材１８を設ける。なお、図９は、支柱４Ａ〜４Ｄのうち支柱４Ａを示した断面図である。
【００３２】
また、上記実施形態では、光源１０，１１を単純に連続発光させているが、各光源１０，１１の発光態様を様々に変化させてもよい。こうすることで、各光源１０，１１からの発光色の見え方が様々に変化して、見る者をさらに楽しませることができる。
【００３３】
また、上記実施形態では、装飾部Ａ，Ｂを微細な凹凸によるものとしたが、このようなものでなくとも、装飾板２，３内に照射された光を乱反射させるものであればよい。
【００３４】
また、上記実施形態では、光源１０，１１の光が透明な支柱４，５を透過して装飾板２，３内に照射されているが、支柱４，５が不透明部材によって形成されている場合には、支柱４，５の周面に孔を形成し、その孔を介して光源１０，１１の光を照射してもよい。
【００３５】
また、上記実施形態では、電源コード１２，１３によって外部電源を光源１０，１１に接続させているが、支柱４，５内に電池等の電源を収容してもよい。
【００３６】
また、上記実施形態では、装飾板２，３を支柱４，５によってベース６に支持させているが、装飾板２，３がガラス等の透明部材によって形成されたドアー等である場合には、図１０に示すように、支柱４，５に相当する挿入部材４１，５１を装飾板３に接着剤等によって直接固定してもよい。なお、図１０は、挿入部材４１を示した断面図である。
【００３７】
また、上記実施形態では、スリーブ１４がベース６と装飾板３との間隔を決定する、いわゆる、スペーサの役割を担っているが、図１１に示すように、支柱４，５を、大径のスペーサ部４ｅ，５ｅが形成された段付きボルトとすれば、スリーブ１４は必要としない。なお、図１１は、スペーサ部４ｅが形成された支柱４を示した断面図である。
【００３８】
また、上記実施形態では、キャップ７によって、装飾板２を介して装飾板３をスリーブ１４に圧着させるとともに、光源設置ケース８，９の鍔８ａ，９ａに形成した粗面８ｂ，９ｂを支柱４，５の端面に形成した粗面４ｃ，５ｃに圧接させている。この場合、いわゆる、両面合せになるため、キャップ７等の取付け寸法精度を高める必要が生じるが、図１２に示すように、キャップ７の開口端面と装飾板２との間に、シール材等の弾力を有するワッシャ１６を介在させることによって、この必要なく、装飾板３をスリーブ１４に圧着させるとともに、光源設置ケース８，９の鍔８ａ，９ａを支柱４，５の端面に圧接させることができる。また、キャップ７を両面合せにすることなく、図１３に示すように、支柱４，５の雄ねじ４ｄ，５ｄに螺合させたナット１７によって装飾板３をスリーブ１４に圧着させ、キャップ７の天井面によって光源設置ケース８，９の鍔８ａ，９ａを支柱４，５の端面に圧接させてもよい。なお、図１２，１３は、ワッシャ１６又はナット１７が配設された支柱４を示した断面図である。
【符号の説明】
【００３９】
１          光装飾装置
２，３      装飾板
４，５      支柱（挿入部材）
１０，１１  光源
Ａ，Ｂ      装飾部
Ａ１，Ｂ１  凹凸群
Ｋ          他の装飾部
【図１】
0003151439.tif 000003
【図２】
0003151439.tif 000004
【図３】
0003151439.tif 000005
【図４】
0003151439.tif 000006
【図５】
0003151439.tif 000007
【図６】
0003151439.tif 000008
【図７】
0003151439.tif 000009
【図８】
0003151439.tif 000010
【図９】
0003151439.tif 000011
【図１０】
0003151439.tif 000012
【図１１】
0003151439.tif 000013
【図１２】
0003151439.tif 000014
【図１３】
0003151439.tif 000015
【手続補正書】
【提出日】平成21年4月10日(2009.4.10)
【手続補正１】
【補正対象書類名】実用新案登録請求の範囲
【補正対象項目名】全文
【補正方法】変更
【補正の内容】
【実用新案登録請求の範囲】
【請求項１】
透明部材又は半透明部材で形成され、厚さ方向に並設された複数の装飾板と、
前記複数の装飾板にそれぞれ形成され、各装飾板内に照射された光を乱反射させる装飾部と、
前記複数の装飾板の厚さ方向に挿入して設けられる複数の挿入部材と、
前記複数の挿入部材の内部に設置され、該複数の挿入部材の各挿入部分より前記複数の装飾板内に光を照射して前記装飾部を光装飾する複数の光源と、
を備えることを特徴とする光装飾装置。
【請求項２】
前記複数の光源は、互いに異なる色に発光し、各装飾板の前記装飾部を互いに異なる色に光装飾することを特徴とする請求項１に記載の光装飾装置。
【請求項３】
前記装飾部は、該光装飾装置の正面から見たときの位置が各装飾板で異なることを特徴とする請求項１又は２に記載の光装飾装置。
【請求項４】
前記装飾部は、該光装飾装置の正面から見たときの少なくとも一部の位置が各装飾板で重なっているとともに、微細な凹凸からなる線状の複数の凹凸群によって構成され、
前記複数の凹凸群は、該光装飾装置の正面から見たときの位置が各装飾板で互いにずれているか、或いは交差していることを特徴とする請求項１又は２に記載の光装飾装置。
【請求項５】
前記複数の装飾板のうち少なくとも１つの装飾板の縁部は、該装飾板の表面から裏面に行くに従って該装飾板の内方へ向けて傾斜する傾斜面からなる他の装飾部となっており、該他の装飾部が光によって装飾されるように構成されていることを特徴とする請求項１〜４のいずれか一項に記載の光装飾装置。
【手続補正２】
【補正対象書類名】明細書
【補正対象項目名】００１０
【補正方法】変更
【補正の内容】
【００１０】
請求項５に記載の考案は、請求項１〜４のいずれか一項に記載の光装飾装置において、
前記複数の装飾板のうち少なくとも１つの装飾板の縁部は、該装飾板の表面から裏面に行くに従って該装飾板の内方へ向けて傾斜する傾斜面からなる他の装飾部となっており、該他の装飾部が光によって装飾されるように構成されていることを特徴とする。